(57)【要約】      （修正有）【課題】光伝導効果を有し、且つエックス線が透過できない光ファイバー付き歯科用ポストを提供する。【解決手段】外周面１１と、接収照射部１２と、底部１３と、を含む樹脂本体部１０と、樹脂本体部１０にそれぞれ挿入され、接収照射端２１と光伝導照射端２２をそれぞれ有し、各接収照射端２１が樹脂本体部１０の接収照射部１２に位置し、各接収照射端は接収照射部に照射する光線を接収するためのものであり、各光伝導照射端はそれぞれ樹脂本体部の外周面と底部とに位置し、これにより、各接収照射端の接収する光線は、光伝導照射端を経由して、樹脂本体部の外周面と底部とから射出する複数の光ファイバーと、を備える。【選択図】図１
0003159524.tif 000002
【実用新案登録請求の範囲】
【請求項１】
外周面と、接収照射部と、底部と、を含む樹脂本体部と、
前記樹脂本体部にそれぞれ挿入され、接収照射端と光伝導照射端をそれぞれ有し、前記各接収照射端が前記樹脂本体部の前記接収照射部に位置し、前記各接収照射端は前記接収照射部に照射する光線を接収するためのものであり、前記各光伝導照射端はそれぞれ前記樹脂本体部の前記外周面と前記底部とに位置し、これにより、前記各接収照射端の接収する光線は、前記光伝導照射端を経由して、前記樹脂本体部の前記外周面と前記底部とから射出する複数の光ファイバーと、
を備えることを特徴とする光ファイバー付き歯科用ポスト。
【請求項２】
前記各光ファイバーは、光ファイバー芯と、前記光ファイバー芯を覆う光ファイバー外面層と、を含むことを特徴とする、請求項１に記載の光ファイバー付き歯科用ポスト。
【請求項３】
前記樹脂本体部の前記外周面には、更に、段階形状断面付き環状縁が複数設けられ、前記各段階形状断面付き環状縁と前記樹脂本体部の前記外周面が開角を有し、前記開角の角度が９０度よりも小さくてもよいことを特徴とする、請求項１に記載の光ファイバー付き歯科用ポスト。
【考案の詳細な説明】
【技術分野】
【０００１】
本考案は、歯科用ポストに関し、特に、光伝導効果を有し、且つエックス線が透過できない光ファイバー付き歯科用ポストに関するものである。
【背景技術】
【０００２】
一般に、歯医者は、虫歯または欠歯の患者に、クラウンまたはブリッジで歯を治すことを勧める。クラウンおよびブリッジは、患者の歯に粘着されるため、固定式入れ歯と称される。虫歯または欠歯が酷い場合には、患者は歯内治療を受けることが必要であり、歯内治療を受けた後、歯を充填することだけで歯の本来の機能に回復することができないため、クラウンで歯を覆うことが必要である。
【０００３】
図１２に示すように、従来の入れ歯は、入れ歯本体４０と、歯科用ポスト５０と、を含み、入れ歯本体４０は、上端が蓋４１であり、下端が支持部４２であり、その上で一つ以上の貫通孔が設けられ、前記貫通孔は蓋４１と支持部４２を貫通する。歯科用ポスト５０は金属製のものでもよい。患者の歯が歯内治療を受けた後、不良なエナメル６０および象牙質を除去して、患者の歯に入れ歯本体４０を組付けて、入れ歯本体４０の前記貫通孔から歯科用ポスト５０を挿入することにより、歯科用ポスト５０が歯根の奥まで届く。
【０００４】
また、一般の歯科用ポストは、光固化型粘着剤により入れ歯本体４０と歯科用ポスト５０を患者の歯に粘着する。すなわち、光固化型粘着剤に光線を照射することにより、歯科用ポスト５０が患者の歯に強固に粘着され、そうすると、  入れ歯本体４０が患者の歯に強固に固定されるようになる。
【考案の概要】
【考案が解決しようとする課題】
【０００５】
しかしながら、従来の歯科用ポスト５０は光線を伝導することができないため、光固化型粘着剤に光線を良く照射することができず、歯根の内部の光固化型粘着剤の固化が良くなく、ひいては入れ歯本体４０は、構造強度が不足になり、脱落や損壊し易い問題があった。
【０００６】
本考案の主な目的は、光伝導効果を有し、且つエックス線が透過できない光ファイバー付き歯科用ポストを提供することにある。
【課題を解決するための手段】
【０００７】
本考案の光ファイバー付き歯科用ポストによると、外周面と、接収照射部と、底部と、を含む樹脂本体部と、
前記樹脂本体部にそれぞれ挿入され、接収照射端と光伝導照射端をそれぞれ有し、前記各接収照射端が前記樹脂本体部の前記接収照射部に位置し、前記各接収照射端は前記接収照射部に照射する光線を接収するためのものであり、前記各光伝導照射端はそれぞれ前記樹脂本体部の前記外周面と前記底部とに位置し、これにより、前記各接収照射端の接収する光線は、前記光伝導照射端を経由して、前記樹脂本体部の前記外周面と前記底部とから射出する複数の光ファイバーと、
を備えることを特徴とする。
【０００８】
本考案の光ファイバー付き歯科用ポストによると、前記各光ファイバーは、光ファイバー芯と、前記光ファイバー芯を覆う光ファイバー外面層と、を含むことを特徴とする。
【０００９】
本考案の光ファイバー付き歯科用ポストによると、前記樹脂本体部の前記外周面には、更に、段階形状断面付き環状縁が複数設けられ、前記各段階形状断面付き環状縁と前記樹脂本体部の前記外周面が開角を有し、前記開角の角度が９０度よりも小さくてもよいことを特徴とする。
【考案の効果】
【００１０】
本考案の光ファイバー付き歯科用ポストによれば、次のような効果がある。
（１）歯科用ポストの光伝導効果を有効に向上することができるため、接収する光線は、本考案の光ファイバー付き歯科用ポストの光伝導照射端から、樹脂本体部の外周面と底部とに伝導されて射出し、これにより、光固化型粘着剤に光線を良く照射することができ、入れ歯本体の構造の強度が向上し、そして歯科用ポストの粘着強度が増加し、入れ歯本体の脱落または損壊が発生し難くなる。
【００１１】
（２）歯科用ポストの光伝導効果を有効に向上することができるため、接収する光線は光固化型粘着剤を良く照射することができ、光固化型粘着剤の粘着効果が良くなり、そしてエックス線が透過できず、光ファイバー付き歯科用ポストの構造強度が増加する。
【図面の簡単な説明】
【００１２】
【図１】本考案の第１実施例の光ファイバー付き歯科用ポストの斜視図である。
【図２】本考案の第１実施例に係る光ファイバーの断面図である。
【図３】本考案の第１実施例に係る光ファイバーにより光線を伝導する状態の模式図である。
【図４】本考案の第２実施例の光ファイバー付き歯科用ポストの側面図である。
【図５】本考案の第３実施例の光ファイバー付き歯科用ポストの側面図である。
【図６】本考案の第４実施例の光ファイバー付き歯科用ポストの剖開状態の斜視図である。
【図７】本考案に係る光ファイバーにより光線を伝送する状態の模式図である。
【図８】本考案に係る光ファイバーが単一の素子光ファイバーを有する状態の平面図である。
【図９】本考案に係る光ファイバーが多数の素子光ファイバーを有する状態の平面拡大図である。
【図１０】本考案の単一の素子光ファイバーから構成される光ファイバーが六角形の断面を有する状態の平面図である。
【図１１】本考案の多数の素子光ファイバーから構成される光ファイバーが六角形の断面を有する状態の平面拡大図である。
【図１２】従来の歯科用ポストの使用状態を示す断面図である。
【考案を実施するための形態】
【００１３】
以下、本考案の実施の形態を図面に基づいて説明する。
まず、図１乃至図１１を参照する。本考案の一実施形態の光ファイバー付き歯科用ポストは、樹脂本体部１０と、複数の光ファイバー２０と、を含む。
【００１４】
樹脂本体部１０は、外周面１１と、接収照射部１２と、底部１３と、を含む。各光ファイバー２０は、樹脂本体部１０にそれぞれ挿入され、接収照射端２１と光伝導照射端２２をそれぞれ有する。各接収照射端２１は、樹脂本体部１０の接収照射部１２に位置し、接収照射部１２に照射する光線を接収するためのものである。各光伝導照射端２２はそれぞれ樹脂本体部１０の外周面１１と底部１３とに位置する。これにより、各接収照射端２１の接収する光線は、光伝導照射端２２を経由して、樹脂本体部１０の外周面１１と底部１３とから射出する。複数の光ファイバー２０は本考案の光ファイバー付き歯科用ポストの重量の７０％を占め、なお、樹脂本体部１０は本考案の光ファイバー付き歯科用ポストの重量の３０％を占める。
【００１５】
各ファイバー２０は、ファイバー芯２３と、ファイバー外面層２４と、を含む。ファイバー外面層２４はファイバー芯２３の周面を覆う。ファイバー芯２３とファイバー外面層２４は、ガラスを採用してもいいし、樹脂を採用してもよい。ファイバー外面層２４の屈折率がファイバー芯２３の屈折率よりも低いため、光線Ｌはファイバー芯２３に沿って全反射することができる。これにより、光源からの光線Ｌが各ファイバー２０のファイバー芯２３に進入するときには、ファイバー外面層２４の屈折率がファイバー芯２３の屈折率よりも低いため、光線Ｌは、図７に示すように、ファイバー芯２３に沿って伝送し、すなわち、ファイバー２０により光線Ｌを伝送することができる。
【００１６】
樹脂本体部１０の外周面１１には、更に、段階形状断面付き環状縁１４が複数設けられる。
【００１７】
各段階形状断面付き環状縁１４と樹脂本体部１０の外周面１１が開角θを有し、開角θの角度が９０度よりも小さくてもよい。図３に示すように、光ファイバーから射出する光線の方向は、図１に示したものと比べると、歯科用ポストの外周面１１から射出する光線は、また各段階形状断面付き環状縁１４の各光ファイバー２０へ照射し、そうすると、歯科用ポスト全体が発光するようになり、歯科用ポストの光伝導効果が向上し、光固化型粘着剤が光線に良く照射されため、光固化型粘着剤の固化が良くなり、歯科用ポストの粘着強度が増加する。
【００１８】
各段階形状断面付き環状縁１４は、樹脂本体部１０の外周面１１に等距離に配設される。
【００１９】
樹脂本体部１０の外周面１１には、更に、光固化型粘着剤が覆われ、本考案の光ファイバー付き歯科用ポストの光伝導効果により、光固化型粘着剤が光線に良く照射されため、光固化型粘着剤の固化が良くなり、歯科用ポストの粘着強度が増加する。
【００２０】
接収照射部１２は第１直径ｄ１を有し、底部１３は第２直径ｄ２を有し、第１直径ｄ１が第２直径ｄ２よりも大きい。
【００２１】
本考案の光ファイバー付き歯科用ポストの光ファイバー２０は、図８乃至図１０に示すように、単一の素子光ファイバーを有してもいいし、図９又は図１１に示すように、多数の素子光ファイバー２５を有してもよい。光ファイバー２０が多数の素子光ファイバー２５を有する場合には、発光効果が更に均一になる。
【００２２】
また、各素子光ファイバー２５は、円形断面を有してもいいし、六角形断面を有してもよい。各素子光ファイバー２５が六角形断面を有する場合には、素子光ファイバー２５の構造強度が増加する。
【００２３】
上記の説明から明らかなように、歯科用ポストの光伝導効果を有効に向上することができるため、接収する光線は、本考案の光ファイバー付き歯科用ポストの光伝導照射端から、樹脂本体部の外周面と底部とに伝導されて射出し、これにより、光固化型粘着剤に光線を良く照射することができ、入れ歯本体の構造の強度が向上し、そして歯科用ポストの粘着強度が増加し、入れ歯本体の脱落または損壊が発生し難くなる。そして歯科用ポストの光伝導効果を有効に向上することができるため、接収する光線は光固化型粘着剤を良く照射することができ、光固化型粘着剤の粘着効果が良くなり、そしてエックス線が透過できず、光ファイバー付き歯科用ポストの構造強度が増加する。
【産業上の利用可能性】
【００２４】
本考案は、歯科用ポストに適用することができる。
【符号の説明】
【００２５】
１０：樹脂本体部
１１：外周面
１２：接収照射部
１３：底部
１４：段階形状断面付き環状縁
２０：光ファイバー
２１：接収照射端
２２：光伝導照射端
２３：ファイバー芯
２４：ファイバー外面層
２５：素子光ファイバー
４０：入れ歯本体
４１：蓋
４２：支持部
５０：歯科用ポスト
６０：エナメル
ｄ１：第１直径
ｄ２：第２直径
Ｌ：光線
【図１】
0003159524.tif 000003
【図２】
0003159524.tif 000004
【図３】
0003159524.tif 000005
【図４】
0003159524.tif 000006
【図５】
0003159524.tif 000007
【図６】
0003159524.tif 000008
【図７】
0003159524.tif 000009
【図８】
0003159524.tif 000010
【図９】
0003159524.tif 000011
【図１０】
0003159524.tif 000012
【図１１】
0003159524.tif 000013
【図１２】
0003159524.tif 000014
【手続補正書】
【提出日】平成22年3月19日(2010.3.19)
【手続補正１】
【補正対象書類名】実用新案登録請求の範囲
【補正対象項目名】請求項３
【補正方法】変更
【補正の内容】
【請求項３】
前記樹脂本体部の前記外周面には、更に、段階形状断面付き環状縁が複数設けられ、前記各段階形状断面付き環状縁と前記樹脂本体部の前記外周面が開角を有し、前記開角の角度が９０度よりも小さいことを特徴とする、請求項１に記載の光ファイバー付き歯科用ポスト。